(57)【要約】      （修正有）【課題】知的障害のある従業員等のために、効率的且つ適切なストレスチェックを支援することができる、知的障害者のためのストレスチェック支援システムを提供する。【解決手段】ストレス状態に関する各質問に対応する複数の解説画像を記録する解説画像記録部１と、解説画像記録部１から複数の解説画像を読み取る解説画像読取部２と、各質問に対応する複数の解説画像を順次表示させるタイミング信号を生成するタイミング信号生成部５と、解説画像記録部１から各質問毎の複数の解説画像を読み取り、読み取った複数の解説画像を、タイミング信号に基づいて、知的障害のある従業員等が共同で視聴する解説画像表示部４（大型ディスプレイ）に順次表示させる制御部３とを備えたシステムである。【選択図】図１
0003211202.tif 000002
【実用新案登録請求の範囲】
【請求項１】
知的障害のある従業員等がストレスチェック用の複数の質問に対し適切に回答できるように支援する、知的障害者のためのストレスチェック支援システムであって、
ストレス状態に関する各質問に対応する複数の解説画像を、前記各質問と対応付けて記録しておく、ハードディスクその他の記録装置から成る解説画像記録部と、
ストレス状態に関する各質問毎に、前記解説画像記録部から、前記各質問に対応する複数の解説画像を読み取る解説画像読取部と、
ストレス状態に関する各質問毎に、当該質問に対応する複数の解説画像を順次表示させるときの各解説画像の表示のタイミングを示すタイミング信号を生成するタイミング信号生成部と、
ストレス状態に関する各質問毎に、前記解説画像読取部を制御して前記解説画像記録部から前記各質問毎の複数の解説画像を読み取り、前記読み取った複数の解説画像を、前記タイミング信号生成部からのタイミング信号に基づいて、多数の知的障害のある従業員等が共同で視聴している大型ディスプレイに順次表示させる制御部と、
を備えた、知的障害者のためのストレスチェック支援システム。
【請求項２】
前記解説画像記録部に記録された解説画像は、人物の絵又はイラスト及び文字から成る複数個の画像により構成されている、請求項１に記載の知的障害者のためのストレスチェック支援システム。
【請求項３】
前記タイミング信号生成部は、前記ストレスチェック用の複数の質問に対し回答する知的障害者らの状況に対応して又はユーザーの入力操作に対応して前記タイミング信号を生成するものである、請求項１又は２に記載の知的障害者のためのストレスチェック支援システム。
【考案の詳細な説明】
【技術分野】
【０００１】
本考案は知的障害のある従業員等のストレスチェックを支援するためのシステムに関する。
【背景技術】
【０００２】
従来より、学校の生徒や企業の社員等がストレスチェック用の複数の質問に対し適切に回答できるように支援するストレスチェック支援システムが知られている。例えば特許文献１は、学校でのストレス状態に関する質問を含む画像を、個々の生徒が使用するパソコン画面上に表示し、その質問に対し個々の生徒がパソコン画面上で入力した回答を収集等し、それに基づいて当該各生徒のストレス状態を個別に判定等するシステムを提案しているが、特許文献１が提案するシステムは、知的障害のある従業員等のストレスチェックのために適切なものではない。
【先行技術文献】
【特許文献】
【０００３】
【特許文献１】特開２０１５−１０３０２６号公報
【考案の概要】
【考案が解決しようとする課題】
【０００４】
平成２７年１２月、厚生労働省は労働安全衛生法の遵守の徹底を図るべく、５０名以上の事業場にストレスチェック実施を義務付け、５０名未満の事業場は努力義務とした。翌２８年７月、法人内メンタルヘルス対策推進委員会において、法人全職員・従業員を対象に「心と体の健康づくり」を推進する組織を構築することと合わせ、ストレスチェックの実施を一事業場単位で見るのではなく、４００名を超える職員・従業員を抱える法人の義務としてとらえ、全員を対象に実施することとした。しかしながら、上記のストレスチェックは、設問が５７項目あり、ほとんどが心理的、感覚的なものを問う抽象的内容を多く含むものであるため、抽象的概念を理解するということに関して困難さを感じる知的障害者にとっては容易に理解できない内容であり、知的障害を有する従業員等へのストレスチェック実施に際しては、何らかの「合理的配慮」が必要であった。
そして、上記「合理的配慮」をいかに図るかについては、次の１）〜５）の方針の下で知的障害を有する従業員等へのストレスチェックを実施していくことが妥当であると考えられた。１）障害福祉サービスを提供する法人にとって、この「合理的配慮」に真摯に取り組むことは責務である。２）この取り組みは、障害当事者が様々な場面で選択、挑戦していく際の「意思決定支援」にも役立つ。３）抽象的な設問の意図を汲み、その感覚的なものをイメージできるように、シンプルに図示化する。４）チェック実施はパワーポイントを使い、支援者が設問ごとにイメージが伝わりやすいように説明をしながら行う。５）実施状況は従業員の了解を得た上でビデオなどに記録し、検証に役立てて改善に繋げていく。
そこで、本発明者らにおいて鋭意研究した結果、上記方針のように知的障害を有する従業員等へのストレスチェックを適切に実施するために有益なシステムとして、本明細書中で述べるような知的障害者のためのストレスチェック支援システムを新たに発明・開発した。
【０００５】
以上のように、本考案は、知的障害のある従業員等のために、効率的且つ適切なストレスチェックを支援することができる、知的障害者のためのストレスチェック支援システムを提供することを目的とする。
【課題を解決するための手段】
【０００６】
このような課題を解決するための本考案による知的障害者のためのストレスチェック支援システムは、知的障害のある従業員等がストレスチェック用の複数の質問に対し適切に回答できるように支援する、知的障害者のためのストレスチェック支援システムであって、ストレス状態に関する各質問に対応する複数の解説画像を、前記各質問と対応付けて記録しておくハードディスクその他の記録装置から成る解説画像記録部と、ストレス状態に関する各質問毎に、前記解説画像記録部から、前記各質問に対応する複数の解説画像を読み取る解説画像読取部と、ストレス状態に関する各質問毎に、当該質問に対応する複数の解説画像を順次表示させるときの各解説画像の表示のタイミングを示すタイミング信号を生成するタイミング信号生成部と、ストレス状態に関する各質問毎に、前記解説画像読取部を制御して前記解説画像記録部から前記各質問毎の複数の解説画像を読み取り、前記読み取った複数の解説画像を、前記タイミング信号生成部からのタイミング信号に基づいて、多数の知的障害のある従業員等が共同で視聴している大型ディスプレイに順次表示させる制御部とを備えたものである。
【０００７】
また、本考案による知的障害者のためのストレスチェック支援システムにおいては、前記解説画像記録部に記録された解説画像は、人物の絵又はイラスト及び文字から成る複数個の画像により構成されていてもよい。
【０００８】
さらに、本考案による知的障害者のためのストレスチェック支援システムにおいては、前記タイミング信号生成部は、前記ストレスチェック用の複数の質問に対し回答する知的障害者らの状況に対応して又はユーザーの入力操作に対応して前記タイミング信号を生成するものであってもよい。
【考案の効果】
【０００９】
以上のように、本考案においては、前記制御部が、ストレス状態に関する各質問毎に、前記解説画像読取部を制御して前記解説画像記録部から前記各質問毎の複数の解説画像を読み取り、前記読み取った複数の解説画像を、前記タイミング信号生成部からのタイミング信号に基づいて、多数の知的障害のある従業員等が共同して視聴している大型ディスプレイに、順次表示させるようにしている。
【００１０】
よって、本考案によれば、知的障害のある従業員等のための効率的且つ適切なストレスチェックを、有効に支援できるようになる。
【００１１】
また、本考案において、前記解説画像記録部に記録された解説画像を人物の絵又はイラスト及び文字から成る複数個の画像により構成し、このような人物の絵又はイラスト及び文字から成る複数個の解説画像を多数の知的障害者に共同して大型ディスプレイで視聴させるようにしたときは、知的障害のある従業員等に対し、ストレスに関する各質問に対応する複数の解説画像への関心と集中力を向上させ、ストレスに関する質問への回答へと、より円滑に導くことができるようになる。
【００１２】
さらに、本考案において、前記タイミング信号生成部が、前記ストレスチェック用の複数の質問に対し回答する知的障害者の状況に対応して又はユーザーの入力操作に対応して前記タイミング信号（ストレス状態に関する各質問毎に当該質問に対応する複数の解説画像を順次表示させるときの各解説画像の表示のタイミングを示すタイミング信号）を生成して前記制御部に出力するようにしたときは、知的障害のある従業員等に対して、ストレスに関する各質問の内容をより適切に理解してもらうことができ、知的障害のある従業員等がストレスに関する各質問に対して適切な回答を出せるように支援することができる。
【図面の簡単な説明】
【００１３】
【図１】本考案の実施形態に係る知的障害者のためのストレスチェック支援システムの全体像を示す概念ブロック図である。
【図２】本実施例において大型ディスプレイに順次表示される各質問に対応する複数の解説画像の一例を示す図である。
【図３】本実施例において大型ディスプレイに順次表示される各質問に対応する複数の解説画像の他の例を示す図である。
【図４】本実施例において大型ディスプレイに順次表示される各質問に対応する複数の解説画像の更に他の例を示す図である。
【考案を実施するための形態】
【００１４】
以下、図面を参照して本考案の一実施形態に係る知的障害者のためのストレスチェック支援システムについて説明する。図１は本考案の実施形態に係る知的障害者のためのストレスチェック支援システムの全体像を示す概念ブロック図、図２は本実施例において大型ディスプレイに順次表示される各質問に対応する複数の解説画像の一例を示す図、図３は本実施例において大型ディスプレイに順次表示される各質問に対応する複数の解説画像の他の例を示す図、図４は本実施例において大型ディスプレイに順次表示される各質問に対応する複数の解説画像の更に他の例を示す図である。
【００１５】
図１において、１はストレス状態に関する各質問に対応する複数の解説画像を前記各質問と対応付けて記録しておく解説画像記録部（パソコン又はサーバーのハードディスクなどの記録装置により構成される）、２はストレス状態に関する各質問毎に前記解説画像記録部１から前記各質問に対応する複数の解説画像を読み取る解説画像読取部である。
【００１６】
また図１において、５はストレス状態に関する各質問毎に当該質問に対応する複数の解説画像を順次表示させるときの各解説画像の表示のタイミングを示すタイミング信号を生成するタイミング信号生成部である。前記タイミング信号生成部５は、前記ストレスチェック用の複数の質問に対し回答する知的障害者の状況（例えば、前記大型ディスプレイを共同で視聴している知的障害者らの人数、個々の知的障害者の障害の程度、質問をしているときの時間帯など）に対応して又はユーザー（知的障害者をサポートする職員など）の入力操作に対応して、前記タイミング信号を生成し後記の制御部に出力する。
【００１７】
また図１において、３はストレス状態に関する各質問毎に前記解説画像読取部２を制御して前記解説画像記録部１から前記各質問毎の複数の解説画像を読み取り、この読み取った複数の解説画像を前記タイミング信号生成部５からのタイミング信号に基づいて多数の知的障害のある従業員等が共同で視聴している大型ディスプレイに順次表示させる制御部、４は前記の多数の知的障害のある従業員等が共同で視聴する大型ディスプレイから成る解説画像表示部４である。
【００１８】
次に、図２は、本実施形態において前記ストレス状態に関する各質問に対応する複数の解説画像であって、前記解説画像記録部１に記録され、前記解説画像読取部２によって読み取られ、前記制御部３により前記解説画像表示部４（大型ディスプレイ）上に表示・出力される、或る１つの質問（図２の例では「非常にたくさんの仕事をしなければならない」かどうか）に対応する計８個の解説画像のセットを示すものである。本実施形態においては、図２に示すように、前記１つの質問に対応する計８個の解説画像は、人物の絵又はイラスト及び／又は文字から成る複数個の画像により構成されている。よって、本実施形態では、このような人物の絵又はイラスト及び文字から成る計８個の解説画像を多数の知的障害者らに共同して大型ディスプレイ（解説画像表示部４）で視聴させるようにしたので、知的障害のある従業員等に対し、ストレスに関する各質問に対応する複数の解説画像への関心と集中力を高めさせ、ストレスに関する質問への回答へと、より円滑に導くことができるようになる。
【００１９】
次に、図３は、本実施形態において前記ストレス状態に関する他の質問に対応する複数の解説画像であって、前記解説画像記録部１に記録され、前記解説画像読取部２によって読み取られ、前記制御部３により前記解説画像表示部４（大型ディスプレイ）上に表示・出力される、他の質問（図３の例では「働きがいのある仕事」であるかどうか）に対応する計６個の解説画像のセットを示すものである。本実施形態においては、図３に示すように、前記１つの質問に対応する計６個の解説画像は、人物の絵又はイラスト及び／又は文字から成る複数個の画像により構成されている。よって、本実施形態では、このような人物の絵又はイラスト及び文字から成る計６個の解説画像を多数の知的障害者らに共同して大型ディスプレイ（解説画像表示部４）で視聴させるようにしたので、知的障害のある従業員等に対し、ストレスに関する各質問に対応する複数の解説画像への関心と集中力を高めさせることができ、ストレスに関する質問への回答へと、より円滑に導くことができるようになる。
【００２０】
次に、図４は、本実施形態において前記ストレス状態に関する他の質問に対応する複数の解説画像であって、前記解説画像記録部１に記録され、前記解説画像読取部２によって読み取られ、前記制御部３により前記解説画像表示部４（大型ディスプレイ）上に表示・出力される、他の質問（図４の例では「活気がわいてくる」かどうか）に対応する計７個の解説画像のセットを示すものである。本実施形態においては、図４に示すように、前記１つの質問に対応する計７個の解説画像は、人物の絵又はイラスト及び／又は文字から成る複数個の画像により構成されている。よって、本実施形態では、このような人物の絵又はイラスト及び文字から成る計７個の解説画像を多数の知的障害者らに共同して大型ディスプレイ（解説画像表示部４）で視聴させるようにしたので、知的障害のある従業員等に対し、ストレスに関する各質問に対応する複数の解説画像への関心と集中力を高めさせることができ、ストレスに関する質問への回答へと、より円滑に導くことができるようになる。
【００２１】
以上のように、本実施形態においては、前記制御部３が、ストレス状態に関する各質問毎に、前記解説画像読取部２を制御して前記解説画像記録部１から前記各質問に対応する複数の解説画像を読み取り、前記読み取った複数の解説画像を、前記タイミング信号生成部５からのタイミング信号に基づいて、多数の入所者又は従業員が共同して視聴している大型ディスプレイ（解説画像表示部４）に、順次表示させるようにしている。よって、本実施形態によれば、知的障害のある従業員等のために、効率的且つ適切なストレスチェックを有効に支援できるようになる。
【００２２】
また、本実施形態では、前記解説画像記録部１に記録された解説画像を人物の絵又はイラスト及び文字から成る複数個の画像により構成し、このような人物の絵又はイラスト及び文字から成る複数個の解説画像を多数の知的障害者にに共同して大型ディスプレイ（解説画像表示部４）で視聴させるようにしている。よって、本実施形態によれば、知的障害のある従業員等に対し、ストレスに関する各質問に対応する複数の解説画像への関心と集中力を高めさせることができ、ストレスに関する質問への回答へと、より円滑に導くことができるようになる。
【００２３】
さらに、本実施形態では、前記タイミング信号生成部が、前記ストレスチェック用の複数の質問に対し回答する知的障害者の状況に対応して又はユーザーの入力操作に対応して前記タイミング信号（ストレス状態に関する各質問毎に、当該質問に対応する複数の解説画像を順次表示させるときの各解説画像の表示のタイミングを示すタイミング信号）を生成して、前記制御部３に出力するようにようにしている。よって、本実施形態によれば、知的障害のある従業員等に対して、ストレスに関する各質問の内容をより適切に理解してもらうことができ、知的障害のある従業員等がストレスに関する各質問に対して、より適切な回答を出せるように支援することができる。
【符号の説明】
【００２４】
１          解説画像記録部
２          解説画像読取部
３          制御部
４          解説画像表示部
５          タイミング信号生成部
【図１】
0003211202.tif 000003
【図２】
0003211202.tif 000004
【図３】
0003211202.tif 000005
【図４】
0003211202.tif 000006